(57)【要約】【課題】テーブル上に載置した切断材に対して工具本体部を上下動させて切断加工を行う卓上切断機において、切断部位を明るく照らす照明装置を備えたものが提供されている。本発明では、使用者にとって眩しくなく、切断部位が十分な光量で明るく照らされるようにした照明装置を提供する。【解決手段】回転刃具１２の面方向に対して右側にずれた位置に照明装置６０を配置し、この位置から切断部位に向けて光を斜め下方かつ斜め側方に照射する構成とする。これにより使用者に向けて光が直接照射されないので眩しさを低減しつつ、切断部位を十分な光量で明るく照らすことができる。【選択図】図３
2015123543.tif 000002
【特許請求の範囲】
【請求項１】
切断材を載置するテーブルと、該テーブルに揺動支持部を介して上下に移動操作可能に支持された工具本体部と、該工具本体部の回転刃具の刃先を照らす照明装置を備えた卓上切断工具であって、
前記照明装置は、前記揺動支持部の揺動支点よりも下方となる部位で、前記回転刃具に対して左方又は右方にオフセットした部位に配置されて、該照明装置の照射方向を平面視で前記回転刃具の面方向に対して傾けた方向とした卓上切断工具。
【請求項２】
請求項１記載の卓上切断工具であって、前記照明装置の照射方向を側面視で下方へ向けた構成とした卓上切断工具。
【請求項３】
請求項１又は２記載の卓上切断工具であって、前記工具本体部が備えるギヤハウジングの下端を通る仮想水平面を想定したときに、該仮想水平面よりも下方領域における前記回転刃具の刃先に向けて前記照明装置の照射方向を設定した卓上切断工具。
【請求項４】
請求項１〜３の何れか１項に記載した卓上切断工具であって、前記照明装置は、３つの光源を同一円周上の三等分位置に備え、かつ相互に照射方向を平行にして備えた卓上切断工具。
【請求項５】
請求項１〜４の何れか１項に記載した卓上切断工具であって、前記照明装置は、光源として発光ダイオードを備えた卓上切断工具。
【請求項６】
請求項１〜５の何れか１項に記載した卓上切断工具であって、前記照明装置は、前面を透明カバーで塞がれた照明ケース内に光源を収容した構成とされており、前記透明カバーを前記光源の照射方向に対して傾斜させた構成とした卓上切断工具。
【発明の詳細な説明】
【技術分野】
【０００１】
この発明は、テーブル上に載置した切断材を切断加工する卓上切断工具に関する。
【背景技術】
【０００２】
この種の切断工具には、夜間の作業や暗所での作業の便宜を図るために切断部位を明るく照らすための照明装置を備えたものが提供されている。従来の照明装置に関する技術が下記の特許文献に開示されている。特許文献１には、テーブルに対して工具本体部を支持する支持アームに光源を配置した照明装置が記載されている。特許文献２には、光源をフレキシブルなアームを介して工具本体部に支持した照明装置が記載されている。
【先行技術文献】
【特許文献】
【０００３】
【特許文献１】実開平１−１６３０２０号公報
【特許文献２】特開２００２−１５４０７４号公報
【発明の概要】
【発明が解決しようとする課題】
【０００４】
しかしながら、これら従来の照明装置にもさらに改善を加える必要があった。特許文献１に開示された照明装置では、光源が工具本体部の切断刃の右側及び左側に配置されているため、工具本体部の上下揺動に伴い光も動くので、作業者にとって違和感を感じさせ、さらに光が切断刃に対して平行に照射されるので、切断部位の光度が十分ではなかった。
また、特許文献２に開示された照明装置では、工具本体部の傾斜位置を変更するたびに光源の位置を手で調整する必要があるため取り扱いが面倒であった。
本発明は、これら従来の照明装置に関する問題を解消するためになされたもので、切断刃の左右両側について十分な明るさを得ることができ、取り扱いも容易な照明装置を提供することを目的とする。
【課題を解決するための手段】
【０００５】
上記の課題は以下の各発明により解決される。
本発明は、切断材を載置するテーブルと、テーブルに揺動支持部を介して上下に移動操作可能に支持された工具本体部と、工具本体部の回転刃具の刃先を照らす照明装置を備えた卓上切断工具である。本発明では、照明装置は、揺動支持部の揺動支点よりも下方となる部位で、回転刃具に対して左方又は右方にオフセットした部位に配置されて、当該照明装置の照射方向を平面視で回転刃具の面方向に対して傾けた方向となっている。
本発明によれば、工具本体部の揺動支点よりも下方に照明装置が配置されていることから、工具本体部を上下に移動操作しても照明装置の位置は変わらず、従って照射方向は変化しない。照明装置の照射方向は、工具本体部を下降端に位置させた状態における刃先（切断部位）の斜め後方であって平面視で回転刃具の面方向に対して傾けた方向となっている。このため、切断材上面の切断部位を十分な光量で照らすことができ、また刃先の影もできにくいことから、切断部位の視認性を高めることができる。
また、工具本体部の上下動位置に関係なく一定の位置に固定されていることから、使用者が手で位置調整する必要がなく、この点で当該照明装置の使い勝手を高めることができる。
本発明において、照明装置の照射方向を側面視で下方へ向けた構成とすることができる。この構成によれば、より一層切断部位の視認性を高めることができる。
本発明において、工具本体部が備えるギヤハウジングの下端であって、工具本体部を下降端に位置させた状態における当該ギヤハウジングの下端を通る仮想水平面を想定したときに、この仮想水平面よりも下方領域における回転刃具の刃先に向けて照明装置の照射方向を設定することができる。この構成によれば、ギヤハウジングに遮光されることなく照明装置の光を効率よく刃先に照射することができ、これにより切断部位の視認性を一層高めることができる。
本発明において、照明装置は、３つの光源を同一円周上の三等分位置に備え、かつ相互に照射方向を平行にして備えた構成とすることができる。この構成によれば、照明装置の十分な光量を確保しつつ、光の照射範囲を円形に近い範囲にすることができ、これにより視認性を高めることができる。
本発明において、照明装置は、光源として発光ダイオード（ＬＥＤ）を備えた構成とすることができる。この構成によれば、照明装置の消費電力の低減を図ることができる。
本発明において、照明装置は、前面を透明カバーで塞がれた照明ケース内に光源を収容した構成とされており、透明カバーを光源の照射方向に対して傾斜させた構成とすることができる。この構成によれば、透明カバーを通過した光が波長等の相違により分散されてぎらぎら感のない軟らかな光になって照射され、この点で使用者の視認性及び取り扱い性を高めることができる。
【図面の簡単な説明】
【０００６】
【図１】本実施形態に係る卓上切断工具全体の左側面図である。本図は、工具本体部を上死点に位置させた状態を示している。
【図２】本実施形態に係る卓上切断工具全体の右側面図である。本図は、工具本体部を上死点に位置させた状態を示している。
【図３】図１中(III)矢視図であって、本実施形態に係る卓上切断工具の正面図である。
【図４】図１(IV)矢視図であって、本実施形態に係る卓上切断工具の後面図である。
【図５】卓上切断工具全体の左側面図である。本図は、工具本体部を下死点に位置させた状態を示している。
【図６】卓上切断工具全体の右側面図である。本図は、工具本体部を下死点に位置させた状態を示している。
【図７】図５中(VII)矢視図であって、卓上切断工具全体の平面図である。
【図８】卓上切断工具全体の正面図である。本図は、工具本体部を左側へ傾斜させた状態を示している。
【図９】卓上切断工具全体の後面図である。本図は、工具本体部を左側へ傾斜させた状態を示している。
【図１０】位置決めフェンス単体の全体斜視図である。本図では、第１及び第２可動フェンスがともに使用位置に位置する状態を示している。
【図１１】図１３中(XI)-(XI)線断面矢視図であって、位置決めフェンスの縦断面図である。
【図１２】位置決めフェンスの正面図である。本図は、第１及び第２可動フェンスがともに使用位置に位置する状態を示している。
【図１３】位置決めフェンスの後面図である。本図は、図１２に示す状態の位置決めフェンスの後面図を示している。
【図１４】位置決めフェンスの正面図である。本図は、第１可動フェンスを係合解除位置に移動させた状態を示している。
【図１５】位置決めフェンスの後面図である。本図は、図１４に示す状態の位置決めフェンスの後面図を示している。
【図１６】位置決めフェンスの正面図である。本図は、第１可動フェンスを退避位置に移動させた状態を示している。
【図１７】位置決めフェンスの後面図である。本図は、図１６に示す状態の位置決めフェンスの後面図を示している。
【図１８】位置決めフェンスの正面図である。本図は、第１及び第２可動フェンスをともに退避位置に移動させた状態を示している。
【図１９】位置決めフェンスの後面図である。本図は、図１８に示す状態の位置決めフェンスの後面図を示している。
【図２０】照明装置の縦断面図である。
【発明を実施するための形態】
【０００７】
次に、本発明の実施形態を図１〜図２０に基づいて説明する。図１において、使用者は卓上切断工具１の右側に位置する。以下の説明において、部材及び構成について前後、左右、上下等の方向については使用者を基準にして用いる。
図１〜図７に示すように本実施形態に係る卓上切断工具１は、切断材Ｗを載置するテーブル２０と、テーブル２０を左右方向（水平方向）に回転可能に支持するベース３０と、テーブル２０の後部に設けた本体支持部４０を介して上下に揺動操作可能かつ前後にスライド操作可能に支持された工具本体部１０を備えている。
テーブル２０の前部には、当該テーブル２０の回転位置をロックする２系統のロック機構及びこれを解除するロック解除レバー２１，２２等が配置されている。ベース３０には左右一対の補助テーブル部３１，３１が設けられている。この左右の補助テーブル部３１，３１は、テーブル２０の左右に位置している。左右の補助テーブル部３１，３１の上面とテーブル２０の上面は精確に相互に面一に設定されている。左右の補助テーブル部３１，３１間に跨る大型の切断材Ｗを安定した状態で載置できるようになっている。
左右の補助テーブル部３１，３１には、側方へ大きく張り出す状態でホルダ３２，３２が設けられている。両ホルダ３２，３２には、さらに大型の切断材Ｗを載置するための追加テーブル等の切断補助具（図示省略）を取り付けることができる。両ホルダ３２，３２は、補助テーブル部３１，３１の後部に設けた固定ねじ３３，３３を緩めることにより取り外すことができる。
左右の補助テーブル部３１，３１間には、位置決めフェンス５０が跨った状態で取り付けられている。位置決めフェンス５０は、切断材Ｗをテーブル面方向に位置決めするための部材で、これの詳細については後述する。
【０００８】
本体支持部４０は、テーブル２０の後部に設けた傾動基台部４１と、傾動基台部４１に回転可能に結合された傾動支持部４２と、傾動支持部４２に一体に設けられ、上方へ延びる支持アーム部４３と、支持アーム部４３の上部に設けられたスライド支持部４４と、スライド支持部４４の先端に設けられて、工具本体部１０を上下に揺動可能に支持する揺動支持部４５を備えている。傾動基台部４１と傾動支持部４２との間には、工具本体部１０を図３，４に示す直角切り位置や図８，９に示す左側へ４５°傾斜させた傾斜切り位置に位置決めするための傾斜位置決め機構が内装されている。傾斜基台部４１に対する傾動支持部４２の回転中心であって、工具本体部１０の左右傾動軸線は、テーブル２０の上面に一致し、かつテーブル２０の回転中心を通る軸線に一致している。傾斜基台部４１に対する傾動支持部４２の回転位置であって、工具本体部１０の直角切り位置あるいは傾斜位置は、固定レバー４６を締め込むことにより固定される。
スライド支持部４４は、相互に平行で前後にスライド可能な左右一対のスライドバー４４ａ，４４ａを備えている。両スライドバー４４ａ，４４ａの先端部に、揺動支持部４５が取り付けられている。揺動支持部４５に揺動支軸４７を介して工具本体部１０が上下に揺動（傾動）可能に支持されている。両スライドバー４４ａ，４４ａを前後にスライドさせることにより工具本体部１０を前後に一定の範囲でスライドさせることができ、かつ上下に一定の角度範囲で上下に傾動操作することができる。
工具本体部１０は、電動モータ１１により回転する円形の回転刃具１２と、回転刃具１２の上部側を覆うブレードケース１３と、回転刃具１２の下部側を覆う可動カバー１４を備えている。ブレードケース１３の後部が揺動支軸４７を介して揺動支持部４５に支持されている。ブレードケース１３の背面側（右側部）に、減速ギヤ部１６を介して電動モータ１１が取り付けられている。減速ギヤ部１６は、減速ギヤ列とこれを収容するギヤハウジングを備えている。この減速ギヤ部１６により電動モータ１１の回転出力が減速されて、図示省略したスピンドルに伝達される。スピンドルに回転刃具１２が取り付けられている。
図２，６に示すように電動モータ１１のモータハウジングの後面には、複数の吸気孔が設けられている。電動モータ１１が起動すると内蔵した冷却ファンが回転することにより、この吸気孔を経て外気（モータ冷却風）がモータハウジング内に導入される。導入されたモータ冷却風はモータハウジング内の前部側に流れることにより当該電動モータ１１の冷却がなされる。また、モータハウジングの後部側にはモータ制御用のコントローラが内装されている。このコントローラもモータ冷却風により冷却される。導入されたモータ冷却風の一部はモータハウジングの前部に設けた排気孔を経て外部に排気され、残余のモータ冷却風はブレードケース１３内に排出される。
減速ギヤ部１６のギヤハウジングの上部には、ループ形をなす前側のメインハンドル１５ａと後ろ側のサブハンドル１５ｂを併設した大型のハンドル部１５が設けられている。メインハンドル１５ａの内周側に起動用のスイッチレバー１５ｃが配置されている。
【０００９】
位置決めフェンス５０は、テーブル２０の後部側に設けられている。位置決めフェンス５０の詳細が図１０以下に示されている。この位置決めフェンス５０は、回転刃具１２に対して右側に位置する部位と左側に位置する部位を有している。以下、右側フェンス５０Ｒ、左側フェンス５０Ｌと称して区別する。右側フェンス５０Ｒは、一つの固定フェンス５５を備えている。左側フェンス５０Ｌは、基台部５３と第１可動部材５１と第２可動部材５２を備えている。右側フェンス５０Ｒの固定フェンス５５と左側フェンス５０Ｌの基台部５３が半円弧形の結合アーム部５４を介して相互に結合されている。右側フェンス５０Ｒの固定フェンス５５の前面は、その全面にわたって切断材Ｗの後面を当接させて位置決めする位置決め面５５ａとなっている。位置決め面５５ａは、その平面度及びテーブル２０の上面に対する直角度等について高精度で加工されている。
本実施形態に係る位置決めフェンス５０は、左側フェンス５０Ｌについて大きな特徴を有している。基台部５３は、右側フェンス５０Ｒの固定フェンス５５よりも低く形成されている。基台部５３の右端部５３ｂ（回転刃具側の端部）は、４５°よりも大きな角度で傾斜している。この点、右側フェンス５０Ｒの固定フェンス５５の左端部５５ｂ（回転刃具側の端部）は、僅かな角度（例えば１０°程度）で傾斜している。このことから、工具本体部１０の左右傾斜角度については左側に大きな傾斜角度が許容されるようになっている。本実施形態では、基台部５３の前面の全体について、切断材Ｗを当接、位置決めするための位置決め面５３ａが設定されている。
【００１０】
基台部５３の上部に沿って第２可動フェンス５２が支持されている。この第２可動フェンス５２は、左右に長く上下に細い前面を有するもので、左右にスライド可能に支持されている。図１１に示すように第２可動フェンス５２の下面には、案内凸部５２ｂが長手方向に沿って設けられている。この案内凸部５２ｂが、基台部５３の上面に設けられた案内溝部５３ｃ内に挿入されて、当該第２可動フェンス５２が基台部５３の上部に沿って左右にスライド可能に支持されている。
第２可動フェンス５２のスライド位置は、摘みねじ５６を締め込むことにより任意の位置で固定することができる。本実施形態では、この第２可動フェンス５２についても、その前面の全体が位置決め面５２ａとされている。
第２可動フェンス５２に、第１可動フェンス５１が支持されている。図１３，１５，１７に示すように第１可動フェンス５１には、支持アーム部５１ｄが一体に設けられている。第１可動フェンス５１は、支軸５７を介して上下に回動可能な状態で第２可動フェンス５２の後面側に支持されている。支軸５７は、支持アーム部５１ｄの左端部（回動基端部側）に設けた長溝孔形状の支持孔５１ｂ内に挿通されている。この支持孔５１ｂ内において支軸５７が相対移動可能な範囲で、当該第１可動フェンス５１は左右に変位可能となっている。第１可動フェンス５１は、図１２，１３に示す使用位置と、図１４，１５に示す係合解除位置との間で左右方向に変位させることができる。図１２，１３に示すように第１可動フェンス５１を使用位置に位置させると、その前面を第２可動フェンス５２の位置決め面５２ａと基台部５３の位置決め面５３ａの右側に面一に位置させた状態となる。本実施形態では、第１可動フェンス５１の前面についても切断材Ｗが当接される位置決め面５１ａとされている。第１及び第２可動フェンス５１，５２の位置決め面５１ａ，５２ａと基台部５３の位置決め面５３ａにより、右側フェンス５０Ｒとほぼ同等の面積を有する広い位置決め面が形成される。
第１可動フェンス５１を使用位置及び係合解除位置に位置させた状態では、支持アーム部５１ｄは第２可動フェンス５２の上端からはみ出さない太さに設定されている。
【００１１】
第１可動フェンス５１の支持アーム部５１ｄの長手方向回動先端側には、係合凹部５１ｃが設けられている。この係合凹部５１ｃは支持孔５１ｂと同じ方向に長く形成されている。この係合凹部５１ｃは、図１３，１５，１７において、下側に開口されている。一方、第２可動フェンス５２の背面側には、係合軸部５８が設けられている。この係合軸部５８は後方へ突き出す状態に設けられている。第１可動フェンス５１を下方へ回動して使用位置（図１３に示す位置）及び係合解除位置（図１５に示す位置）に位置させた状態では、この係合軸部５８が係合凹部５１ｃ内に進入した状態となる。第１可動フェンス５１を図１５に示す係合解除位置に移動させると、係合軸部５８が係合凹部５１ｃの開口の上側に相対変位して相対的に下方へ抜け出し可能な状態となる。このため、当該第１可動フェンス５１は係合解除位置に移動させた状態で上方へ回動可能となる。
図１６及び図１７に示すように第１可動フェンス５１は、支軸５７を中心にして１８０度回転させることにより左右反転させることができる。図１８及び図１９に示すように、第１可動フェンス５１を左側に反転させた状態で、さらに摘みねじ５６を緩めることにより第２可動フェンス５２を左側へスライドさせて退避位置に移動させることができる。第２可動フェンス５２を退避位置に移動させることにより、当該位置決めフェンス５０の左側フェンス５０Ｌの高さを基台部５３の高さまで低くすることができる。
【００１２】
次に、工具本体部１０を支持する揺動支持部４５の前面には、夜間や暗所での切断作業の便宜を図るために切断部位を明るく照らすための照明装置６０が装備されている。この照明装置６０の詳細が図２０に示されている。この照明装置６０は、図３に示すように揺動支持部４５の右側前面であって、正面視で回転刃具１２よりも右側に取り付けられている。また、この照明装置６０は、工具本体部１０の揺動支点（揺動支軸４７）よりも下側に配置されている。この照明装置６０により、切断部位（刃先）が明るく照らされる。
図２０に示すようにこの照明装置６０は、３つのＬＥＤ６２〜６２（発光ダイオード）を光源としている。３つのＬＥＤ６２〜６２は、制御基板６１に搭載されている。３つのＬＥＤ６２〜６２は同一円周上の三等分位置に配置されている。しかも、３つのＬＥＤ６２〜６２は、その照射方向を相互に平行とする向き（姿勢）で相互に接近して配置されている。
３つのＬＥＤ６２〜６２は、照明ケース６３内に収容されている。照明ケース６３の前部には透明カバー６４が取り付けられている。透明カバー６４は、まっすぐ前側（使用者側）に向けられている。但し、透明カバー６４は、やや下方へ向けられている。
図２０に示すように３つのＬＥＤ６２〜６２の照射方向は、側面視で下向きに傾斜した方向とされている。また、３つのＬＥＤ６２〜６２の照射方向は、平面視で左側へ傾斜した方向とされている。このため、図２０において（右側面視で）、制御基板６１の裏面が見えている。
このように、正面視で回転刃具１２に対して右側にオフセットした位置に照明装置６０が取り付けられ、３つのＬＥＤ６２〜６２がその照射方向を側面視で下向きかつ平面視で左側に傾斜した向きとする姿勢で照明ケース６３内に収容されていることにより、回転刃具１２の刃先（切断部位）が効率よく照らされるようになっている。本実施形態では、図６に示すように工具本体部１０を下降端まで下動させた状態において、減速ギヤ部１６の下端面を通る仮想水平面Ｖを想定したときに、この仮想水平面Ｖより下方かつテーブル２０の上面よりも上方の領域Ｓにおける刃先に向けて照射されるように３つのＬＥＤ６２〜６２の照射方向が設定されている。
【００１３】
以上のように構成した卓上切断工具１によれば、照明装置６０により切断部位が明るく照らされて夜間や暗所等での切断作業の便宜を図ることができる。本実施形態の照明装置６０は、本体支持部４０の前端部において工具本体部１０を揺動支持する揺動支持部４５の前面に設けられている。しかも、照明装置６０は、使用者から見て揺動支持部４５の前面であって回転刃具１２に対して右側寄りに設けられている。照明装置６０の各ＬＥＤ６２はそれぞれその照射方向を下向きかつ左向きに傾斜させた姿勢で配置されている。
このように照明装置６０が切断部位に近い揺動支持部４５の前面に設けられ、その各光源の照射方向が下向きかつ左向きに傾斜した方向とされていることから、切断部位が十分な光量で照らされることにより刃先の影が発生することを抑制でき、これにより当該切断部位の視認性を一層高めることができる。
また、照明装置６０は揺動支持部４５の前面に設けられて、工具本体部１０の上下動位置とは関係なく一定の部位を照射する構成であるので、使用者が手動操作によりその照射方向をわざわざ調整する必要がなく、この点で当該照明装置６０の使い勝手を高めることができる。
さらに、本実施形態に係る照明装置６０によれば、光源としてのＬＥＤ６２〜６２の照射範囲が、工具本体部１０の下降端におけるギヤハウジングの下面よりも下側の領域Ｓにおける刃先に設定されている。このため、照射した光が工具本体部１０の特にギヤハウジングで遮光されてしまうことがなく、ほぼ全てが回転刃具１２の刃先に照射されて十分な光量で切断部位を明るく照らすことができる。
【００１４】
また、照明装置６０は、３つの光源（ＬＥＤ６２〜６２）を同一円周上の三等分位置に備え、かつ相互に照射方向を平行にした構成を備えており、これにより十分な光量を確保しつつ、光の照射範囲を円形に近い範囲にすることができ、この点でも切断部位の視認性が高められている。
さらに、照明装置６０は、光源としての３つのＬＥＤ６２〜６２の前方が透明カバー６４で覆われている。透明カバー６４は、ＬＥＤ６２〜６２の照射方向に対して傾斜していることから、当該透明カバー６４に対して光が傾斜方向から入光し、その結果透明カバー６４を通過した光が波長等の相違により分散されてぎらぎら感（まぶしさ）のない軟らかな光になって照射される。軟らかな光で明るく照らされることにより切断部位の視認性を一層高めることができる。
【００１５】
以上説明した実施形態には種々変更を加えることができる。例えば、照明装置６０は光源として３つのＬＥＤ６２〜６２を備える構成を例示したが、１つ又は２つのＬＥＤあるいは４つ以上のＬＥＤを光源とする構成としてもよい。
また、光源は例示したＬＥＤ６２に代えて電球を用いてもよい。さらに、３つのＬＥＤ６２〜６２の相対位置を同一円周上の三等分位置とした構成を例示したが、その他の相対位置に配置してもよい。
また、揺動支持部４５の前面右側に照明装置６０を配置した構成を例示したが、前面左側に配置する構成、あるいは右又は左側部に配置する構成としてもよい。回転刃具１２の面方向に対して左側又は右側にオフセットした位置に照明装置を配置することにより、使用者に向けて光が直接照射されることがなくなり、これにより切断部位の視認性を高めて、その使い勝手をよくすることができる。
【符号の説明】
【００１６】
１…卓上切断工具
Ｗ…切断材
１０…工具本体部
１１…電動モータ
１２…回転刃具
１３…ブレードケース
１４…可動カバー
１５…ハンドル部
１５ａ…メインハンドル、１５ｂ…サブハンドル、１５ｃ…スイッチレバー
１６…減速ギヤ部
Ｖ…仮想水平面
Ｓ…仮想水平面Ｖよりも下方の領域
２０…テーブル
２１，２２…ロック解除レバー
３０…ベース
３１…補助テーブル部
３２…ホルダ
３３…固定ねじ
４０…本体支持部
４１…傾動基台部
４２…傾動支持部
４３…支持アーム部
４４…スライド支持部、４４ａ…スライドバー
４５…揺動支持部
４６…固定レバー
４７…揺動支軸
５０…位置決めフェンス
５０Ｒ…右側フェンス、５０Ｌ…左側フェンス
５１…第１可動フェンス
５１ａ…位置決め面、５１ｂ…支持孔，５１ｃ…係合凹部、５１ｄ…支持アーム部
５２…第２可動フェンス
５２ａ…位置決め面、５２ｂ…案内凸部
５３…基台部
５３ａ…位置決め面、５３ｂ…右端部、５３ｃ…案内溝部
５４…結合アーム部
５５…固定フェンス
５５ａ…位置決め面、５５ｂ…左端部
５６…摘みねじ
５７…支軸
５８…係合軸部
６０…照明装置
６１…制御基板
６２…ＬＥＤ（発光ダイオード）
６３…照明ケース
６４…透明カバー
【図１】
2015123543.tif 000003
【図２】
2015123543.tif 000004
【図３】
2015123543.tif 000005
【図４】
2015123543.tif 000006
【図５】
2015123543.tif 000007
【図６】
2015123543.tif 000008
【図７】
2015123543.tif 000009
【図８】
2015123543.tif 000010
【図９】
2015123543.tif 000011
【図１０】
2015123543.tif 000012
【図１１】
2015123543.tif 000013
【図１２】
2015123543.tif 000014
【図１３】
2015123543.tif 000015
【図１４】
2015123543.tif 000016
【図１５】
2015123543.tif 000017
【図１６】
2015123543.tif 000018
【図１７】
2015123543.tif 000019
【図１８】
2015123543.tif 000020
【図１９】
2015123543.tif 000021
【図２０】
2015123543.tif 000022